【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
複数画面デバイスによって表示されたデータを制御する方法であって、
前記複数画面デバイスが第１の物理的な向きから異なる第２の物理的な向きへ移動したことを特定することであって、
前記複数画面デバイスが第１の物理的な向きにおいて折り畳み状態であり、
前記折り畳み状態において、前記複数画面デバイスの第１のタッチスクリーンおよび第２のタッチスクリーンは、背中合わせであり、
前記第１のタッチスクリーンがアプリケーションに対するコンテンツを表示し、
前記第２の物理的な向きにおいて、前記第１のタッチスクリーンが横向き状態であるとともに前記第２のタッチスクリーンと同じ平面上にある、前記特定すること、
前記第２の物理的な向きにおいて、前記第２のタッチスクリーンに対する前記第１のタッチスクリーンの相対的な位置を特定すること、
前記第１のタッチスクリーンの相対的な位置が第２のタッチスクリーンの上方にあると特定された場合、メモリに記憶された条件に少なくとも部分的に基づいて前記第２の物理的な向きにおいて前記アプリケーションが前記第１および第２のタッチスクリーンに対してコンテンツを表示させているかどうかを特定すること、
前記第１のタッチスクリーンの相対的な位置が前記第２のタッチスクリーンの上方にあると特定され、かつ前記アプリケーションが前記第１および第２のタッチスクリーンに対してコンテンツを表示させていると特定された場合、前記第１及び第２のタッチスクリーンのうちの少なくとも１つの画面上の前記アプリケーションの既定のディスプレイ構成に適合するように前記アプリケーションの表示を変更することであって、前記第１のタッチスクリーン上でのみの表示から、前記第１及び第２のタッチスクリーンの両方の画面上での同時表示へ前記アプリケーションの表示を修正することを含む前記変更すること、
前記第１のタッチスクリーンの相対的な位置が前記第２のタッチスクリーンの下方であると特定された場合、前記第１のタッチスクリーンに前記アプリケーションに対するコンテンツを表示することを継続している間に前記第２のタッチスクリーンに異なる第２のアプリケーションに対するコンテンツを表示することを備える、方法。
【請求項２】
前記第２の物理的に向きにおいて、前記第１のタッチスクリーンの相対的な位置は、前記第２のタッチスクリーンの上方にあると特定される、請求項１に記載の方法。
【請求項３】
前記第２のタッチスクリーンに対する前記第１のタッチスクリーンの相対位置は、少なくとも部分的に、加速度計から受信されたデータに基づいて特定される、請求項２に記載の方法。
【請求項４】
前記アプリケーションが単一画面アプリケーションか又は複数画面アプリケーションかを特定することをさらに含み、
前記第２の物理的な向きにおいて前記第２のタッチスクリーン上の前記アプリケーションの既定のディスプレイ構成に適合するように前記アプリケーションの表示を変更することは、前記アプリケーションが単一画面アプリケーションか又は複数画面アプリケーションかに基づく、請求項２に記載の方法。
【請求項５】
前記アプリケーションは、複数画面アプリケーションであり、
前記方法は、前記アプリケーションからのデータを前記第２の物理的な向きにおいて前記第２のタッチスクリーン上に自動的に表示させることをさらに備える、請求項４に記載の方法。
【請求項６】
前記アプリケーションは、単一画面アプリケーションであり、前記異なる第２のアプリケーションからのデータは、前記第２のタッチスクリーン上に同時に表示される、請求項４に記載の方法。
【請求項７】
前記アプリケーションは、前記第２の物理的な向きにおいて前記第１および第２のタッチスクリーンに対するコンテンツの表示を禁止するように決定される、請求項２に記載の方法。
【請求項８】
前記アプリケーションは、前記第２の物理的な向きにおいて前記第１および第２のタッチスクリーンに対するコンテンツの表示を禁止するように決定される場合、前記異なる第２のアプリケーションに対するコンテンツを、前記アプリケーションからのデータが前記第１のタッチスクリーン上に表示されると同時に、前記第２のタッチスクリーン上に表示することをさらに備える、請求項７に記載の方法。
【請求項９】
前記複数画面デバイスが第１の物理的な向きから異なる第２の物理的な向きへ移動したことを特定することは、ホール効果センサおよびタイマのうちの少なくとも１つから受信されるデータに基づく、請求項１に記載の方法。
【請求項１０】
複数画面ユーザデバイスであって、
第１のディスプレイエリアを含む第１のタッチスクリーンと、
第２のディスプレイエリアを含む第２のタッチスクリーンと、
前記第１のタッチスクリーンを前記第２のタッチスクリーンに折り畳み可能に接続するよう構成された付属品と、
ヒンジの位置を示す第１の信号を生成するよう構成された第１のセンサと、
前記第２のタッチスクリーンに対する前記第１のタッチスクリーンの相対位置を示す第２の信号を生成するよう構成された第２のセンサと、
格納された命令を有するコンピュータ可読媒体と
を備え、前記コンピュータ可読媒体は、
前記複数画面デバイスが第１の物理的な向きから異なる第２の物理的な向きへ移動したことを特定するよう構成された第１のセットの命令であって、
前記複数画面デバイスが第１の物理的な向きにおいて折り畳み状態であり、
前記折り畳み状態において、前記複数画面デバイスの第１のタッチスクリーンおよび第２のタッチスクリーンは、背中合わせであり、
前記第１のタッチスクリーンがアプリケーションに対するコンテンツを表示し、
前記第２の物理的な向きにおいて、前記第１のタッチスクリーンが横向き状態であるとともに前記第２のタッチスクリーンと同じ平面上にある、前記第１のセットの命令と、
前記第２の物理的な向きにおいて、前記第２のタッチスクリーンに対する前記第１のタッチスクリーンの相対的な位置を特定するよう構成された第２のセットの命令であって、前記相対的な位置は、前記第１のタッチスクリーンが前記第２のタッチスクリーンの上方または下方にあることを含む、前記第２のセットの命令と、
前記第１のタッチスクリーンの相対的な位置が第２のタッチスクリーンの上方にあると特定された場合、メモリに記憶された条件に少なくとも部分的に基づいて前記第２の物理的な向きにおいて前記アプリケーションが前記第１および第２のタッチスクリーンに対してコンテンツを表示させているかどうかを特定するよう構成された第３のセットの命令と、
前記第１のタッチスクリーンの相対的な位置が前記第２のタッチスクリーンの上方にあると特定され、かつ前記アプリケーションが前記第１および第２のタッチスクリーンに対してコンテンツを表示させていると特定された場合、前記第１及び第２のタッチスクリーンのうちの少なくとも１つの画面上の前記アプリケーションの既定のディスプレイ構成に適合するように前記アプリケーションの表示を変更するよう構成された第４のセットの命令であって、前記第１のタッチスクリーン上でのみの表示から、前記第１及び第２のタッチスクリーンの両方の画面上での同時表示へ前記アプリケーションの表示を修正するよう構成されている前記第４のセットの命令と、
前記第１のタッチスクリーンの相対的な位置が前記第２のタッチスクリーンの下方であると特定された場合、前記第１のタッチスクリーンに前記アプリケーションに対するコンテンツを表示することを継続している間に前記第２のタッチスクリーンに異なる第２のアプリケーションに対するコンテンツを表示するように構成されている第５のセットの命令とを備える、複数画面ユーザデバイス。
【請求項１１】
前記アプリケーションは、複数画面アプリケーションであり、前記第４のセットの命令は、前記第２のタッチスクリーンにわたって移動し、前記アプリケーションからのデータで前記第２のタッチスクリーンを徐々に満たしていく移行エリアを前記第２のタッチスクリーン上で生成するようさらに構成されている、請求項１０に記載の複数画面ユーザデバイス。
【請求項１２】
前記アプリケーションからのデータは、前記修正するための命令を実行した後、前記第１及び第２のタッチスクリーンの各々に前記コンテンツの少なくとも一部を同時に表示する場合に、前記第１及び第２のタッチスクリーンの両方の画面上に自動的に表示される、請求項１１に記載の複数画面ユーザデバイス。
【請求項１３】
前記第２の物理的に向きにおいて、前記第１のタッチスクリーンの相対的な位置は、前記第２のタッチスクリーンの上方にあると特定され、
前記アプリケーションは、前記第２の物理的な向きにおいて前記第１および第２のタッチスクリーンに対するコンテンツの表示を禁止するように決定されて、前記アプリケーションを前記第１のタッチスクリーン上にのみ自動的に表示する、請求項１１に記載の複数画面ユーザデバイス。
【請求項１４】
前記第２の信号に少なくとも部分的に基づいて、前記第１のタッチスクリーンの相対的な位置は、前記第２のタッチスクリーンの上方にあると特定される、請求項１１に記載の複数画面ユーザデバイス。